(57)【要約】【課題】毎週、毎日等の定期的に放送される連続番組を視聴する場合に、以前に放送された未視聴の番組を優先して視聴することが可能な番組出力方法、番組出力システム、出力装置及び記録再生装置を提供する。【解決手段】出力装置１は、受信する番組の放送予定を取得し（Ｓ１）、放送予定に基づいて、受信する予定の受信予定番組を検出する（Ｓ２）。記録再生装置２は、検出した受信予定番組に関連する関連番組が、記録媒体に記録されており、かつ出力した実績が無いと判定したとき（Ｓ５：ＹＥＳ，Ｓ６：ＮＯ）、受信予定番組の放送開始時間帯に、受信した受信予定番組の記録媒体への記録（Ｓ９）並びに記録媒体に記録している関連番組の読取及び出力装置１への出力を同時に行う（Ｓ１０）。出力装置１は、受信予定番組の代わりに、入力を受け付けた関連番組を再生出力する（Ｓ１４）。【選択図】図２
2007295088.tif 000002
【特許請求の範囲】
【請求項１】
放送される番組を受信して出力し、受信した番組を記録媒体に記録し、記録媒体に記録した番組を再生出力する番組出力方法において、
受信する番組の放送予定を示す放送予定情報を取得し、
取得した放送予定情報に基づいて、受信する予定の受信予定番組を検出し、
検出した受信予定番組に関連する関連番組が、記録媒体に記録されているか否かを判定し、
関連番組が記録媒体に記録されていると判定した場合に、関連番組を出力した実績の有無を判定し、
関連番組を出力した実績が無いと判定したとき、受信予定番組が放送される時間帯に、受信予定番組の記録及び関連番組の再生出力を同時に実行する
ことを特徴とする番組出力方法。
【請求項２】
放送される番組を受信する手段と、受信した番組を出力する手段と、受信した番組を記録媒体に記録する手段と、記録媒体に記録した番組を再生出力する手段とを備える番組出力システムにおいて、
受信する番組の放送予定を示す放送予定情報を取得する取得手段と、
取得した放送予定情報に基づいて、受信する予定の受信予定番組を検出する手段と、
検出した受信予定番組に関連する関連番組が、記録媒体に記録されているか否かを判定する関連番組判定手段と、
関連番組が記録媒体に記録されていると判定した場合に、関連番組を出力した実績の有無を判定する手段と、
関連番組を出力した実績が無いと判定したとき、受信予定番組が放送される時間帯に、受信予定番組の記録及び関連番組の再生出力を同時に実行する手段と
を備えることを特徴とする番組出力システム。
【請求項３】
放送される番組を受信して出力する出力装置と、放送される番組を受信して記録媒体に記録し、記録媒体に記録されている番組を読み取る記録再生装置とを備え、前記出力装置は、前記記録再生装置が記録媒体から読み取った番組を再生出力する番組出力システムにおいて、
前記出力装置は、
受信する番組の放送予定を示す放送予定情報を取得する取得手段と、
取得した放送予定情報に基づいて、受信する予定の受信予定番組を検出する手段と、
検出した受信予定番組を示す受信予定番組情報を、前記記録再生装置へ出力する手段と
を備え、
該記録再生装置は、
入力を受け付けた受信予定番組情報が示す受信予定番組に関連する関連番組が記録媒体に記録されているか否かを判定する関連番組判定手段と、
関連番組が記録媒体に記録されていると判定した場合に、関連番組を出力した実績の有無を判定する手段と、
関連番組を出力した実績が無いと判定したとき、受信予定番組が放送される時間帯に、受信予定番組の記録媒体への記録及び記録媒体に記録されている関連番組の前記出力装置への出力を同時に実行する手段と
を備え、
前記出力装置は、更に、
受信予定番組が放送される時間帯に、前記記録再生装置から入力を受け付ける関連番組を再生出力する手段を備える
ことを特徴とする番組出力システム。
【請求項４】
前記関連番組判定手段は、前記取得手段が取得した受信予定番組の放送チャンネル、番組タイトル、放送日及び放送時間帯に基づいて関連番組を判定する様に構成してあることを特徴とする請求項２又は請求項３に記載の番組出力システム。
【請求項５】
関連番組の再生出力の実行後、記録媒体に記録した受信予定番組の再生出力を実行する手段を更に備えることを特徴とする請求項２乃至請求項４のいずれかひとつに記載の番組出力システム。
【請求項６】
放送される番組の記録媒体への記録及び記録媒体に記録されている番組の読取を行う記録再生装置に接続する手段を備え、放送される番組の出力及び前記記録再生装置が記録媒体から読み取った番組の再生出力を行う出力装置において、
受信する番組の放送予定を示す放送予定情報を取得する手段と、
取得した放送予定情報に基づいて、受信する予定の受信予定番組を検出する手段と、
検出した受信予定番組を示す受信予定番組情報を、前記記録装置へ出力する手段と、
受信予定番組に関連する関連番組が記録媒体に記録されてあり、かつ関連番組を出力した実績が無いことを示す通知を、前記記録再生装置から受け付けた場合に、受信予定番組が放送される時間帯に、前記記録再生装置から入力を受け付ける関連番組を再生出力する手段と
を備えることを特徴とする出力装置。
【請求項７】
放送される番組を出力する出力装置に接続する手段を備え、放送される番組の記録媒体への記録並びに記録媒体に記録されている番組の読取及び読み取った番組の前記出力装置への出力を行う記録再生装置において、
前記出力装置が受信する予定の受信予定番組を示す受信予定番組情報を、前記出力装置から受け付ける手段と、
受け付けた受信予定番組情報が示す受信予定番組表に関連する関連番組が記録媒体に記録されているか否かを判定する手段と、
関連番組が記録媒体に記録されていると判定した場合に、関連番組を出力した実績の有無を判定する手段と、
関連番組を出力した実績が無いと判定したとき、受信予定番組が放送される時間帯に、受信予定番組の記録媒体への記録及び記録媒体に記録されている関連番組の前記出力装置への出力を同時に実行する手段と
を備えることを特徴とする記録再生装置。
【発明の詳細な説明】
【技術分野】
【０００１】
テレビ放送等の放送される番組を受信して出力し、また受信した番組をハードディスク等の記録媒体に記録し、記録媒体に記録した番組を再生出力する番組出力方法、該番組出力方法を適用した番組出力システム、該番組出力システムにて用いられる出力装置及び記録再生装置に関し、特に定期的に放送される連続番組を放送された順番に視聴することが可能な番組出力方法、番組出力システム、出力装置及び記録再生装置に関する。
【背景技術】
【０００２】
放送されるテレビ番組を受信し、記録するハードディスクレコーダ、ＤＶＤレコーダ等の記録再生装置が普及している。特許文献１に記載されている記録再生装置は、番組の記録時に、記録する番組を再生出力していないことを示す未視聴フラグを記録する番組に対応付けて記録し、記録した番組を再生出力した場合に未視聴フラグを消去することにより、ユーザが記録されている番組を視聴したか否かを判断することができる。
【特許文献１】特開２００１−１４８８２５号公報
【発明の開示】
【発明が解決しようとする課題】
【０００３】
しかしながら様々な番組を記録媒体に記録し、後で再生出力させるという視聴方法をとることが多いユーザが、テレビ放送等の放送される番組を出力するテレビ受像機等の出力装置を用いて、放送される番組を視聴する場合、視聴する番組の前回以前の放送を視聴したか否かを判断するためには、出力装置からの出力内容を記録再生装置からの出力に切り替えて、記録再生装置に記録されている未視聴フラグに基づく再生出力状況を確認しなければならないという問題がある。特に毎週、毎日等の定期的に放送される連続番組については、以前に放送された番組を見逃すと、ストーリーの連続性を把握し難いため、この様な作業は避け難いという問題がある。
【０００４】
本発明は斯かる事情に鑑みてなされたものであり、受信する番組の放送予定情報を取得し、取得した放送予定情報に基づいて、受信する予定の受信予定番組を検出し、検出した受信予定番組に関連する関連番組が、記録媒体に記録されているか否かを判定し、記録されていると判定した場合に、関連番組を出力した実績の有無を判定し、実績が無いと判定したとき、受信予定番組が放送される時間帯に、受信予定番組の記録及び関連番組の再生出力を同時に実行することにより、ユーザは、記録再生装置に記録されている再生出力状況を確認せずとも、以前に放送された関連番組を優先して視聴することが可能な番組出力方法、該番組出力方法を適用した番組出力システム、該番組出力システムにて用いられる出力装置及び記録再生装置の提供を目的とする。
【課題を解決するための手段】
【０００５】
本発明に係る番組出力方法は、放送される番組を受信して出力し、受信した番組を記録媒体に記録し、記録媒体に記録した番組を再生出力する番組出力方法において、受信する番組の放送予定を示す放送予定情報を取得し、取得した放送予定情報に基づいて、受信する予定の受信予定番組を検出し、検出した受信予定番組に関連する関連番組が、記録媒体に記録されているか否かを判定し、関連番組が記録媒体に記録されていると判定した場合に、関連番組を出力した実績の有無を判定し、関連番組を出力した実績が無いと判定したとき、受信予定番組が放送される時間帯に、受信予定番組の記録及び関連番組の再生出力を同時に実行することを特徴とする。
【０００６】
本発明では、以前に放送され記録した再生出力を実行していない関連番組を、受信予定番組が放送される時間帯に再生出力することにより、ユーザは、記録再生装置に記録されている再生出力状況を確認するという作業を行わずとも、以前に放送された関連番組を優先して視聴することが可能である。
【０００７】
本発明に係る番組出力システムは、放送される番組を受信する手段と、受信した番組を出力する手段と、受信した番組を記録媒体に記録する手段と、記録媒体に記録した番組を再生出力する手段とを備える番組出力システムにおいて、受信する番組の放送予定を示す放送予定情報を取得する取得手段と、取得した放送予定情報に基づいて、受信する予定の受信予定番組を検出する手段と、検出した受信予定番組に関連する関連番組が、記録媒体に記録されているか否かを判定する関連番組判定手段と、関連番組が記録媒体に記録されていると判定した場合に、関連番組を出力した実績の有無を判定する手段と、関連番組を出力した実績が無いと判定したとき、受信予定番組が放送される時間帯に、受信予定番組の記録及び関連番組の再生出力を同時に実行する手段とを備えることを特徴とする。
【０００８】
本発明では、以前に放送され記録した再生出力を実行していない関連番組を、受信予定番組が放送される時間帯に再生出力することにより、ユーザは、記録再生装置に記録されている再生出力状況を確認するという作業を行わずとも、以前に放送された関連番組を優先して視聴することが可能である。
【０００９】
本発明に係る番組出力システムは、放送される番組を受信して出力する出力装置と、放送される番組を受信して記録媒体に記録し、記録媒体に記録されている番組を読み取る記録再生装置とを備え、前記出力装置は、前記記録再生装置が記録媒体から読み取った番組を再生出力する番組出力システムにおいて、前記出力装置は、受信する番組の放送予定を示す放送予定情報を取得する取得手段と、取得した放送予定情報に基づいて、受信する予定の受信予定番組を検出する手段と、検出した受信予定番組を示す受信予定番組情報を、前記記録再生装置へ出力する手段とを備え、該記録再生装置は、入力を受け付けた受信予定番組情報が示す受信予定番組に関連する関連番組が記録媒体に記録されているか否かを判定する関連番組判定手段と、関連番組が記録媒体に記録されていると判定した場合に、関連番組を出力した実績の有無を判定する手段と、関連番組を出力した実績が無いと判定したとき、受信予定番組が放送される時間帯に、受信予定番組の記録媒体への記録及び記録媒体に記録されている関連番組の前記出力装置への出力を同時に実行する手段とを備え、前記出力装置は、更に、受信予定番組が放送される時間帯に、前記記録再生装置から入力を受け付ける関連番組を再生出力する手段を備えることを特徴とする。
【００１０】
本発明では、以前に放送され記録した再生出力を実行していない関連番組を、受信予定番組が放送される時間帯に再生出力することにより、ユーザは、記録再生装置に記録されている再生出力状況を確認するという作業を行わずとも、以前に放送された関連番組を優先して視聴することが可能である。
【００１１】
本発明に係る番組出力システムは、前記関連番組判定手段は、前記取得手段が取得した受信予定番組の放送チャンネル、番組タイトル、放送日及び放送時間帯に基づいて関連番組を判定する様に構成してあることを特徴とする。
【００１２】
本発明では、毎日、毎週等の定期的に放送される連続番組の以前に放送された回の番組を関連番組として判定することにより、ユーザは、特に作業を行わずとも、連続番組を放送された順に視聴することが可能である。
【００１３】
本発明に係る番組出力システムは、関連番組の再生出力の実行後、記録媒体に記録した受信予定番組の再生出力を実行する手段を更に備えることを特徴とする。
【００１４】
本発明では、関連番組を再生出力後、記録した受信予定番組を再生出力することにより、ユーザは、特に作業を行わずとも、連続番組を放送された順に視聴することが可能である。
【００１５】
本発明に係る出力装置は、放送される番組の記録媒体への記録及び記録媒体に記録されている番組の読取を行う記録再生装置に接続する手段を備え、放送される番組の出力及び前記記録再生装置が記録媒体から読み取った番組の再生出力を行う出力装置において、受信する番組の放送予定を示す放送予定情報を取得する手段と、取得した放送予定情報に基づいて、受信する予定の受信予定番組を検出する手段と、検出した受信予定番組を示す受信予定番組情報を、前記記録装置へ出力する手段と、受信予定番組に関連する関連番組が記録媒体に記録されてあり、かつ関連番組を出力した実績が無いことを示す通知を、前記記録再生装置から受け付けた場合に、受信予定番組が放送される時間帯に、前記記録再生装置から入力を受け付ける関連番組を再生出力する手段とを備えることを特徴とする。
【００１６】
本発明では、以前に放送され記録した再生出力を実行していない関連番組を、受信予定番組が放送される時間帯に再生出力することにより、ユーザは、記録再生装置に記録されている再生出力状況を確認するという作業を行わずとも、以前に放送された関連番組を優先して視聴することが可能である。
【００１７】
本発明に係る記録再生装置は、放送される番組を出力する出力装置に接続する手段を備え、放送される番組の記録媒体への記録並びに記録媒体に記録されている番組の読取及び読み取った番組の前記出力装置への出力を行う記録再生装置において、前記出力装置が受信する予定の受信予定番組を示す受信予定番組情報を、前記出力装置から受け付ける手段と、受け付けた受信予定番組情報が示す受信予定番組表に関連する関連番組が記録媒体に記録されているか否かを判定する手段と、関連番組が記録媒体に記録されていると判定した場合に、関連番組を出力した実績の有無を判定する手段と、関連番組を出力した実績が無いと判定したとき、受信予定番組が放送される時間帯に、受信予定番組の記録媒体への記録及び記録媒体に記録されている関連番組の前記出力装置への出力を同時に実行する手段とを備えることを特徴とする。
【００１８】
本発明では、以前に放送され記録した再生出力を実行していない関連番組を、受信予定番組が放送される時間帯に再生出力することにより、ユーザは、記録再生装置に記録されている再生出力状況を確認するという作業を行わずとも、以前に放送された関連番組を優先して視聴することが可能である。
【発明の効果】
【００１９】
本発明に係る番組出力方法、番組出力システム、出力装置及び記録再生装置は、受信する番組の放送予定を示す放送予定情報を取得し、取得した放送予定情報に基づいて、受信する予定の受信予定番組を検出し、検出した受信予定番組に関連する関連番組が、記録媒体に記録されているか否かを判定し、記録されていると判定した場合に、関連番組を出力した実績の有無を判定し、実績が無いと判定したとき、受信予定番組が放送される時間帯に、受信予定番組の記録及び関連番組の再生出力を同時に実行する。
【００２０】
この構成により、本発明では、以前に放送され記録した再生出力を実行していない関連番組を、受信予定番組が放送される時間帯に再生出力することにより、ユーザは、記録再生装置に記録されている再生出力状況を確認するという作業を行わずとも、以前に放送された関連番組を優先して視聴することが可能である等、優れた効果を奏する。
【００２１】
しかも毎日、毎週等の定期的に放送される連続番組の以前に放送された回の番組を関連番組として判定することにより、ユーザは、特に作業を行わずとも、連続番組を放送された順に視聴することが可能であり、従って連続番組におけるストーリーの連続性を特別な作業を行うことなく把握することが可能である等、優れた効果を奏する。
【発明を実施するための最良の形態】
【００２２】
以下、本発明をその実施の形態を示す図面に基づいて詳述する。図１は、本発明の番組出力システムの構成例を示すブロック図である。図１中１は、例えばテレビ放送として放送される番組を受信して出力する放送受像機等の出力装置であり、出力装置１は、受信した番組をハードディスク、ＤＶＤ(Digital Versatile Disc)等の記録媒体に記録し、記録媒体に記録した番組を読み取るハードディスクレコーダ、ＤＶＤレコーダ等の記録再生装置２に接続されている。
【００２３】
出力装置１は、装置全体を制御するＣＰＵ等の制御手段１００と、制御手段１００の制御により実行されるプログラム及びデータ等の各種情報を記録するＲＯＭ等の記録手段１０１と、制御手段１００の制御によるプログラムの実行時に発生するデータを一時的に記憶するＲＡＭ等の記憶手段１０２とを備えている。
【００２４】
さらに出力装置１は、アンテナに接続して地上波アナログ放送、地上波デジタル放送、衛星放送等の放送波から所望のチャンネルの放送番組を受信する受信手段１０３と、番組の放送予定を示す電子番組情報（以下、ＥＰＧ情報という）を取得する取得手段１０４とを備えている。なお受信手段１０３及び取得手段１０４は、一つの回路を共有して用いる様にしても良い。また取得手段１０４は、図示しないインターネット等の通信網上に設けられＥＰＧ情報を記録しているＥＰＧサーバからダウンロードすることで取得する様にしても良い。
【００２５】
さらに出力装置１は、年、月、日、時、分及び秒を示す時計を有する日時管理手段１０５と、記録再生装置２と制御に係る信号を入出力する制御信号入出力手段１０６と、映像及び音声信号の入力を受け付ける映像及び音声信号入力手段１０７と、受信した放送番組又は記録再生装置２から入力を受け付けた放送番組の映像を出力するモニタ等の映像出力手段１０８及び音声を出力するスピーカ等の音声出力手段１０９と、ユーザの直接の操作、又はリモコン等の操作装置を用いた操作を受け付ける操作受付手段１１０とを備えている。
【００２６】
記録再生装置２は、制御手段２００、記録手段２０１、記憶手段２０２、受信手段２０３、取得手段２０４、日時管理手段２０５、記録予約（タイマ録画）の管理を行う予約管理手段２０６、制御に係る信号を出力装置１と入出力する制御信号入出力手段２０７、映像及び音声信号を出力する映像及び音声信号出力手段２０８及び操作受付手段２０９を備えている。さらに記録再生装置２は、ハードディスク、ＤＶＤ等の記録媒体２１０と、記録媒体２１０にアクセスしてＭＰＥＧ(Moving Picture Experts Group)等の圧縮符号化方式にて符号化した番組を記録する記録ヘッダ等の記録手段２１１と、記録媒体２１０にアクセスして記録されている番組を読み取る読取ヘッダ等の読取手段２１２とを備えている。なお記録手段２１１及び読取手段２１２は、一方のヘッダが他方のヘッダの機能を有していても良いが、番組の記録及び読取を同時に行うため、複数のヘッダを必要とする。
【００２７】
次に本発明の番組出力システムにて用いられる各種装置の処理について説明する。図２及び図３は、本発明の出力装置１及び記録再生装置２の処理を示すフローチャートである。出力装置１は、制御手段１００の制御により、受信する番組の放送予定を示すＥＰＧ情報を取得手段１０４にて取得し（ステップＳ１）、取得したＥＰＧ情報に基づいて、受信する予定の受信予定番組を検出する（ステップＳ２）。ステップＳ２にて、ＥＰＧ情報に基づいて検出する受信予定番組とは、現在受信し出力している番組と同チャンネルで、現在受信している番組の次に受信する予定の番組である。
【００２８】
そして本発明の出力装置１は、検出した受信予定番組を示す受信予定番組情報を制御信号入出力手段１０６から記録再生装置２へ出力する（ステップＳ３）。なお記録再生装置２が電源オフ状態になっている場合、出力装置１は、所定の制御信号を記録再生装置２へ出力し、記録再生装置２を電源オン状態又は一部機能のみが動作する待機（スタンバイ）状態にした上で、受信予定番組情報を出力する。
【００２９】
記録再生装置２は、制御手段２００の制御により、制御信号入出力手段２０７にて受信予定番組情報の入力を受け付け（ステップＳ４）、受け付けた受信予定番組情報が示す受信予定番組に関連する関連番組が、記録媒体２１０に記録されているか否かを判定する（ステップＳ５）。ステップＳ５の関連番組とは受信予定番組の放送チャンネル、番組タイトル、放送日及び放送時間帯に基づいて判定される番組である。なお関連番組は、放送チャンネル、番組タイトル、放送日及び放送時間帯を対応付けて記録媒体２１０に記録されているので、受信予定番組に関するこれらの情報から判定することが可能である。例えば受信予定番組と同じ放送チャンネルで、同じ番組タイトルで、前週の同じ曜日に放送されており、しかも放送時間帯が同じである番組が記録されていれば、その番組は、受信予定番組に関連する関連番組であり、当該受信予定番組及び関連番組は、毎週連続して放送される一連の連続番組であると判定することができる。また例えば月曜日から金曜日まで同じチャンネルで同じ時間帯に放送される番組も関連番組と判定することができる。さらに予約管理手段２０６が、曜日、チャンネル及び時間帯を指定して連続番組の記録予約を管理している場合で、受信予定番組が、記録予約を管理される連続番組である場合、当該連続番組に係る記録予約に基づいて以前に記録されている番組が関連番組として判定される。特に予約管理手段２０６が連続番組の記録予約を管理している場合においては、出力装置１による電子番組情報を取得する代わりに、記録再生装置２にて管理している記録予約の内容を取得することにより、放送予定を取得する様にしても良い。
【００３０】
ステップＳ５において、関連番組が記録媒体２１０に記録されていると判定した場合（ステップＳ５：ＹＥＳ）、記録再生装置２は、関連番組を再生出力した実績の有無を判定する（ステップＳ６）。ステップＳ６の判定は、関連番組に対応付けて、番組を再生出力していないことを示す未視聴フラグが記録されているか否かを検出することにより行われる。未視聴フラグとは、番組の記録時に、記録する番組に対応付けて記録される識別子であり、記録している番組が再生出力されていないことを示し、記録した番組を再生出力した場合に、対応付けられている未視聴フラグは消去される。このような未視聴フラグは、例えば特開２００１−１４８８２５号公報に記載されている。なお記録されている関連番組が放送時に出力装置１から出力されたか否かを判定することも可能で有れば、放送時の出力をも含めて出力の実績の有無を判定する様にしても良い。
【００３１】
ステップＳ６において、関連番組を出力した実績が無いと判定したとき（ステップＳ６：ＮＯ）、記録再生装置２は、出力した実績が無い関連番組が記録媒体２１０に記録されていることを通知する記録通知信号を、制御信号入出力手段２０７から出力装置１へ出力する（ステップＳ７）。なおステップＳ５及びステップＳ６の順番は適宜変更することが可能である。具体的には、記録媒体２１０に出力した実績が無い番組を検索し、検索した番組の中から、受信予定番組に関連する関連番組の有無を判定する様にすることも可能である。
【００３２】
そして記録再生装置２は、受信予定番組の放送開始時刻への到達を検出し（ステップＳ８）、受信手段２０３にて受信予定番組を受信し、受信した受信予定番組を記録手段２１１にて記録媒体２１０に記録する（ステップＳ９）と共に、記録媒体２１０に記録している関連番組を読取手段２１２にて読み取り、読み取った関連番組を映像及び音声信号出力手段２０８から出力装置１へ出力をする（ステップＳ１０）。ステップＳ８〜ステップＳ１０に示す様に、記録再生装置２は、受信予定番組が放送される時間帯に、受信予定番組の記録媒体２１０への記録及び記録媒体２１０に記録されている関連番組の出力装置１への出力を同時に実行する。なお記録媒体２１０に記録されている関連番組が複数である場合、記録時期が古い関連番組から優先的に出力装置１へ出力する。
【００３３】
出力装置１は、制御信号入出力手段１０６にて記録通知信号の入力を受け付け（ステップＳ１１）、受信予定番組の放送開始時刻への到達を検出し（ステップＳ１２）、映像及び音声信号入力手段１０７にて記録再生装置２から出力される関連番組の入力を受け付け（ステップＳ１３）、受け付けた関連番組を映像出力手段１０８及び音声出力手段１０９から再生出力する（ステップＳ１４）。即ちステップＳ１１にて記録通知信号を受け付けた場合、出力装置１は、受信予定番組の放送開始時刻に到達した時点で、映像出力手段１０８及び音声出力手段１０９から出力する番組の入力元（ソース）を受信手段１０３から映像及び音声信号入力手段１０７に切り替える。これにより、出力装置１は、受信予定番組が放送される時間帯に、受信予定番組ではなく、以前に放送され記録している関連番組を出力することになる。
【００３４】
そして記録再生装置は、受信予定番組の放送終了時刻への到達及び関連番組の出力の終了の双方の条件を満足後（ステップＳ１５）、記録媒体２１０に記録した受信予定番組を読取手段２１２にて読み取り、読み取った受信予定番組を映像及び音声信号出力手段２０８から出力装置１へ出力し（ステップＳ１６）、処理を終了する。
【００３５】
出力装置１は、受信予定番組の放送終了時刻への到達及び関連番組の出力の終了の双方の条件を満足後（ステップＳ１７）、映像及び音声信号入力手段１０７にて記録再生装置２から出力される受信予定番組の入力を受け付け（ステップＳ１８）、受け付けた受信予定番組を映像出力手段１０８及び音声出力手段１０９から再生出力し（ステップＳ１９）、処理を終了する。即ち関連番組の再生出力が終了後、続けて受信予定番組の再生出力を開始する。なお未出力の関連番組が複数記録されている場合、全ての関連番組を再生出力後、受信予定番組を再生出力する。またステップＳ１５〜ステップＳ１９の処理は、連続再生許可の設定を行っており、チャンネルの変更等の操作を受け付けない場合等の所定の条件を満足した場合に行われる。そして出力装置１は、当該処理の終了時、必要に応じて記録再生装置２を電源オフ状態にする所定の制御信号を記録再生装置２へ出力する。
【００３６】
ステップＳ５において、記録媒体２１０に関連番組が記録されていないと判定した場合（ステップＳ５：ＮＯ）、又はステップＳ６において、関連番組を出力した実績が有ると判定したとき（ステップＳ６：ＹＥＳ）、記録再生装置２は、出力した実績が無い関連番組が記録媒体２１０に記録されていないことを通知する未記録通知信号を、制御信号入出力手段２０７から出力装置１へ出力し（ステップＳ２０）、処理を終了する。
【００３７】
出力装置１は、制御信号入出力手段１０６にて未記録通知信号の入力を受け付け（ステップＳ２１）、未出力の関連番組が記録媒体２１０に記録されていないことを認識し、処理を終了する。この場合、入力元の切替は行われないため、そのまま受信予定番組を受信し、受信した受信予定番組を映像出力手段１０８及び音声出力手段１０９から出力する。
【００３８】
前記実施の形態では、出力装置及び記録再生装置が異なる装置である形態を示したが、本発明はこれに限らず、出力装置及び記録再生装置を一体型の装置とする様にしても良く、更には夫々の処理を適宜、双方の装置に振り分ける様にしても良い。例えば記録再生装置にてＥＰＧ情報を取得する様にしても良い。
【００３９】
さらに前記実施の形態では、映像及び音声を有するテレビ放送に関する形態を示したが、本発明はこれに限らず、音声のみのラジオ放送に適用する等、様々な形態に展開することが可能である。
【図面の簡単な説明】
【００４０】
【図１】本発明の番組出力システムの構成例を示すブロック図である。
【図２】本発明の出力装置及び記録再生装置の処理を示すフローチャートである。
【図３】本発明の出力装置及び記録再生装置の処理を示すフローチャートである。
【符号の説明】
【００４１】
１  出力装置
１００  制御手段
１０１  記録手段
１０２  記憶手段
１０３  受信手段
１０４  取得手段
１０５  日時管理手段
１０６  制御信号入出力手段
１０７  映像及び音声信号入力手段
１０８  映像出力手段
１０９  音声出力手段
１１０  操作受付手段
２  記録再生装置
２００  制御手段
２０１  記録手段
２０２  記憶手段
２０３  受信手段
２０４  取得手段
２０５  日時管理手段
２０６  予約管理手段
２０７  制御信号入出力手段
２０８  映像及び音声信号出力手段
２０９  操作受付手段
２１０  記録媒体
２１１  記録手段
２１２  読取手段
【図１】
2007295088.tif 000003
【図２】
2007295088.tif 000004
【図３】
2007295088.tif 000005